(57)【要約】【課題】  安価な構成を用いて無線機の評価試験に伴うコストを低減する変換器（ピックアップ）等を提供する。【解決手段】  このピックアップ１００は、導波管２００の一端を短絡する金属板１０１と、前記導波管２００を伝送する伝送信号と結合する棒状の中心導体１０３を有し、前記中心導体１０３を前記伝送信号の伝送方向と略平行に配置し、かつ、当該中心導体１０３の一端を前記導波管２００の内部に所定距離だけ露出するように配置することを特徴とする。ここで、前記距離は、前記伝送信号の周波数に係る前記導波管２００の管内波長の４分の１以下であると良い。また、このピックアップ１００は前記中心導体１０３を内包し、当該中心導体１０３と略平行に配置した同軸コネクタ１０２を有することを特徴とする。【選択図】  図２
2007013759.tif 000002
【特許請求の範囲】
【請求項１】
導波管の一端を短絡する金属板と、
前記導波管を伝送する伝送信号と結合する棒状の中心導体を有し、
前記中心導体を前記伝送信号の伝送方向と略平行に配置し、かつ、当該中心導体の一端を前記導波管の内部に所定距離だけ露出するように配置することを特徴とする変換器。
【請求項２】
前記距離は、前記伝送信号の周波数に係る前記導波管の管内波長の４分の１以下であることを特徴とする請求項１に記載の変換器。
【請求項３】
前記中心導体を内包し、当該中心導体と略平行に配置した同軸コネクタを有することを特徴とする請求項１または２に記載の変換器。
【請求項４】
請求項１から３の何れかに記載の変換器を使用することにより、双方で出力する電波の送受信を行う無線機。
【請求項５】
請求項１から３の何れかに記載の変換器を使用する無線機より出力される電波を受信し、前記無線機の測定を行う測定器。
【請求項６】
請求項１から５の何れかに記載の変換器を用いた無線機の評価試験方法。
【発明の詳細な説明】
【技術分野】
【０００１】
本発明は、無線機の評価試験を行うときに使用する変換器等に関するものである。
【背景技術】
【０００２】
一般的に無線通信を行うときは図５に示すように、送信側および受信側が無線機４００を使用する。そのとき、送信側では、ＲＦポート３００を経由して導波管２００の中を伝送する伝送信号をアンテナ８００より空中へ電波として出力する。受信側では、その電波を受信して伝送信号として導波管２００、ＲＦポート３００を経由し、その伝送信号を読み取る。読み取った伝送信号を基にＩＦ信号やベースバンド信号を送受信する。
【０００３】
このような無線機４００において、その性能を評価するための評価試験が行われる。図６にその評価試験方法における使用例を表した構成を示す。図５とは異なり、アンテナ８００の代わりに導波管減衰器９００を用いている。空中に電波を出力しないようにするためである。導波管減衰器９００を用いることにより電波の出力値を、空中にて減少していくのに匹敵するまでの値に減衰させることができる。つまり、擬似的な無線通信を作り上げることができる。
【０００４】
しかし、このような擬似的な無線通信においては、導波管２００および導波管減衰器９００を伝送信号の周波数帯域毎に限定して使用しなければならない。そのため、種々の周波数で評価試験を行うためには、それぞれの周波数帯域に応じて導波管２００および導波管減衰器９００適宜組み合せて用意する必要がある。また、導波管および導波管減衰器は基本的に高価であり、結果的にこの試験を行うためのコストが大きくなりすぎてしまう。
【０００５】
特許文献１に開示されている同軸−導波管変換器、また特許文献２に開示されている同軸導波管変換器を用いたとしても、上記試験において電波の出力値を減衰させる事情を考慮したものではない。従って、これらの周知技術を用いたとしても上記問題点を解消するには至らない。
【特許文献１】特開昭５６−００８９０１号公報
【特許文献２】特開平０５−０３７２１０号公報
【発明の開示】
【発明が解決しようとする課題】
【０００６】
そこで本発明では、安価な構成を用いて無線機の評価試験に伴うコストを低減する変換器等を提供することを目的とする。
【課題を解決するための手段】
【０００７】
上記課題を解決するための本発明の態様は、導波管の一端を短絡する金属板と、前記導波管を伝送する伝送信号と結合する棒状の中心導体を有し、前記中心導体を前記伝送信号の伝送方向と略平行に配置し、かつ、当該中心導体の一端を前記導波管の内部に所定距離だけ露出するように配置することを特徴とする変換器に関するものである。ここで、前記距離は、前記伝送信号の周波数に係る前記導波管の管内波長の４分の１以下であると良い。
【０００８】
また、この変換器は前記中心導体を内包し、当該中心導体と略平行に配置した同軸コネクタを有することを特徴とする。
【０００９】
本発明の他の態様は、上記変換器を使用することにより、双方で出力する電波の送受信を行う無線機に関するものである。
【００１０】
また、本発明の他の態様は、上記変換器を使用する無線機より出力される電波を受信し、前記無線機の測定を行う測定器に関するものである。
【００１１】
また、本発明の他の態様は、上記変換器を用いた無線機の評価試験方法に関するものである。
【発明の効果】
【００１２】
変換器において、金属板、中心導体、そして同軸コネクタといった安価な構成を用いたとしても、擬似的な無線通信に必要な電波の出力値の減衰を実現することができるため、無線機の評価試験に伴うコストを低減することができる。
【発明を実施するための最良の形態】
【００１３】
以下、本発明の変換器等を実施するための最良の形態について説明する。説明する際には、本明細書と同時に提出する図面を適宜参照することにする。
【００１４】
図１、２において本発明の変換器であるピックアップの構成を示す。図１のピックアップ１００の外観図において、方形の導波管２００と導波管２００に垂直な面を有するフランジ２０１がある。そして、ピックアップ１００を構成する金属板１０１はフランジ２０１の面に接触しており、隅をネジで留められ固定されている（図２（ａ）参照）。金属板１０１は導波管２００の一端を短絡する機能を有する。同軸コネクタ１０２は無線機の評価試験において擬似的な無線通信に使用する同軸ケーブルと接続することができる構造を有する。
【００１５】
次にピックアップ１００の内部の構造について説明する。図２（ｂ）に図２（ａ）のＡ−Ａ線で切断したときの断面図を示す。同軸コネクタ１０２の中に中心導体１０３と中心導体１０３の機能を補助する誘電体１０４を有している。中心導体１０３は同軸コネクタ１０２と軸が同一な棒状の形状を有しており、導波管２００を伝送する伝送信号と結合する機能を有する。伝送信号と結合することにより、伝送信号を電波に変換し、同軸ケーブルに電波を出力することができる。この中心導体１０３の一部が導波管２００の内部に露出している。その露出した距離をＬとする。この中心導体１０３は導波管２００を伝送する伝送信号の伝送方向と略平行になるように配置されている。露出した箇所についても同様である。なお、中心導体１０３と同軸コネクタ１０２は互いに略平行な位置関係にある。これにより、中心導体１０３は伝送信号と結合する割合が減少するので電波の出力値を減衰させることができる。また、距離Ｌは伝送信号の周波数に係る導波管２００の管内波長の４分の１以下に設計する。これにより、伝送信号との電気的な結合を抑えることができる。このような構成により、同軸コネクタ１０２に導波管の伝送信号が十分に弱められて伝わるので、同軸コネクタ１０２と後述の同軸ケーブル６００が有する同軸コネクタ５００を接続することにより擬似的な無線通信を実現することができる。
【００１６】
上記説明において、導波管２００、フランジ２０１、同軸コネクタ１０２はいわゆる当業者に良く知られているものを用いれば良く、本発明の内容と直接関係しないのでそれらの詳細な構成は省略する。また、上記のように同軸コネクタ同士を同軸ケーブルで接続する構成に限定されるものではない。例えば、直接接続した構成であっても良い。
【００１７】
本発明のピックアップを用いたときの無線機の評価試験方法における使用例について図３を参照しながら説明する。送信側、受信側の双方において無線機４００、ＲＦポート３００、導波管２００、ピックアップ１００が設けられている。そして、同軸ケーブル６００の同軸コネクタ５００がピックアップ１００の同軸コネクタ１０２と接続することにより、双方の無線機４００で出力される電波を送受信し、擬似的な無線通信を実現している。
【００１８】
無線機４００より出された送信信号はピックアップ１００により、大きな減衰量をもって同軸コネクタ１０２に出力される。実験結果では、ひとつのピックアップにより約３０ｄＢの減衰量が広い周波数帯域で得られた。これに同軸ケーブル６００を接続し、もう一方のピックアップ１００に接続し、受信信号として無線機４００に接続する。このときも、信号が減衰し、さらに約３０ｄＢの減衰量が加算される。よって、送信信号はあわせて約６０ｄＢの減衰が与えられて受信側の無線機４００に入力される。この値は、一般的な擬似的な無線通信として十分な量であり、他に減衰器を追加する必要がない程度まで、信号を弱めることができる。もちろん、試験の目的により、同軸コネクタ又は同軸ケーブルの途中に追加の減衰器などをいれても、ピックアップ部分の特性には影響がなく使用可能である。また、本発明の変換器等を用いても評価試験方法は従来と同様の手順で行うことができ、簡便である。
【００１９】
ただし、信号の大部分はピックアップ１００にて反射し無線機４００内部に戻される。マイクロ波・ミリ波のデータ伝送用の無線機では、１００％反射が許容できるため、このような反射を起こしても無線機の特性に影響しないことは確認されている。
【００２０】
本形態を実施することにより以下の効果を奏する。第１に、導波管２００の伝送信号に結合し難い位置に同軸コネクタ１０２の中心導体１０３を配置したので、擬似的な無線通信に必要な減衰量を実現できることである。第２に、同軸コネクタ構造を採用しているため、無線機同士の接続が同軸ケーブル６００により簡単に行えることである。第３に、導波管２００のフランジ２０１に接続するための金属板１０１と同軸コネクタ１０２で構成するため、安価に構成できることである。
【００２１】
なお、上述した形態は本発明を実施するための最良のものであるが、これに限定する趣旨ではない。従って、本発明の要旨を変更しない範囲において種々変形することが可能である。
【００２２】
例えば、上記のように擬似的な無線通信を行うのではなく、無線機に関して所定の値の測定を行うといった評価試験方法にも応用できる。つまり、送受信を行う無線機の一つを測定器に置換した構成においても上記評価試験方法が可能である。
【００２３】
図４は、測定器７００を用いたときの無線機４００の評価試験方法における使用例を表した図である。この例では、測定器７００が無線機４００より出力される電波を受信して所定の測定を行う。その際、送信用の伝送信号を一旦、ピックアップ１００を通過させることで、信号の大きな減衰が得られる。そのため、通常では測定器７００の許容入力を超えてしまうため測定できない大きなレベルの信号を、そのまま同軸ケーブル６００等で接続するだけでモニターすることが可能となる。なお、測定器７００としてはスペクトラムアナライザーや周波数カウンタを用いると良い。
【図面の簡単な説明】
【００２４】
【図１】本発明のピックアップの外観図である。
【図２】本発明のピックアップの正面図（ａ）及びＡ−Ａ断面図（ｂ）である。
【図３】本発明のピックアップを用いたときの無線機の評価試験方法における使用例を表した構成図である。
【図４】測定器を用いたときの無線機の評価試験方法における使用例を表した図である。
【図５】一般的な無線通信を行うときの構成図である。
【図６】従来の導波管減衰器を用いたときの無線機の評価試験方法における使用例を表した構成図である。
【符号の説明】
【００２５】
１００    ピックアップ（変換器）
１０１    金属板
１０２    同軸コネクタ
１０３    中心導体
１０４    誘電体
２００    導波管
２０１    フランジ
３００    ＲＦポート
４００    無線機
５００    同軸コネクタ
６００    同軸ケーブル
７００    測定器
８００    アンテナ
９００    導波管減衰器 
【図１】
2007013759.tif 000003
【図２】
2007013759.tif 000004
【図３】
2007013759.tif 000005
【図４】
2007013759.tif 000006
【図５】
2007013759.tif 000007
【図６】
2007013759.tif 000008